【手続補正書】
【提出日】平成18年3月24日(2006.3.24)
【手続補正１】
【補正対象書類名】特許請求の範囲
【補正対象項目名】全文
【補正方法】変更
【補正の内容】
【特許請求の範囲】
【請求項１】
多数の画素がマトリクス状に配列され、画素の電荷状態に基づいて表示制御が行われる表示部を有し、供給される画像信号に応じた映像を少なくとも時間変調方式を用いて表示させるディスプレイの駆動装置において、
１枚の画像の表示期間を１フィールドとしたとき、
複数のサブフィールドを時間的に組み合わせて各１フィールドが構成されており、
発光が生じるサブフィールドを発光サブフィールドと呼ぶときに、
各１フィールド中のすべての発光サブフィールドが時間的に連続しており、発光において必要となる画素の電荷状態が画素のメモリ効果によって各１フィールド中のすべての前記発光サブフィールド間で維持されることを特徴とするディスプレイの駆動装置。
【請求項２】
請求項１記載のディスプレイの駆動装置において、
直前の発光サブフィールドに引き続いて後続のサブフィールドをも発光サブフィールドとする制御パルスが、当該後続のサブフィールドにおける当該画素の選択期間にのみ与えられ、
当該後続のサブフィールドにおける当該画素の非選択期間においては、前記メモリ効果によって前記電荷状態が維持されることを特徴とするディスプレイの駆動装置。
【請求項３】
多数の画素がマトリクス状に配列され、画素の電荷状態に基づいて表示制御が行われる表示部を有し、供給される画像信号に応じた映像を少なくとも時間変調方式を用いて表示させるディスプレイの駆動方法において、
１枚の画像の表示期間を１フィールドとしたとき、
複数のサブフィールドを時間的に組み合わせて各１フィールドが構成されており、
発光が生じるサブフィールドを発光サブフィールドと呼ぶときに、
各１フィールド中のすべての発光サブフィールドが時間的に連続しており、発光において必要となる画素の電荷状態が画素のメモリ効果によって各１フィールド中のすべての前記発光サブフィールド間で維持されることを特徴とするディスプレイの駆動方法。
【請求項４】
請求項３のディスプレイの駆動方法において、
直前の発光サブフィールドに引き続いて後続のサブフィールドをも発光サブフィールドとする制御パルスは、当該後続のサブフィールドにおける当該画素の選択期間にのみ与えられ、
当該後続のサブフィールドにおける当該画素の非選択期間においては、前記メモリ効果によって前記電荷状態が維持されることを特徴とするディスプレイの駆動方法。
【請求項５】
多数の画素がマトリクス状に配列された表示部を有し、供給される画像信号に応じた映像を表示させるディスプレイの駆動装置において、
少なくとも１行単位に画素を選択する第１の駆動回路と、選択行に対してＯＮ信号とＯＦＦ信号からなる表示用情報を出力する第２の駆動回路と、第１及び第２の駆動回路を制御する信号制御回路とを具備し、
前記信号制御回路は、少なくとも時間変調方式で階調制御すべく、１枚の画像の表示期間を１フィールドとしたとき、該１フィールド内に、選択された画素の階調レベルに応じて、その発光開始タイミングを決定することを特徴とするディスプレイの駆動装置。
【手続補正２】
【補正対象書類名】明細書
【補正対象項目名】０００９
【補正方法】変更
【補正の内容】
【０００９】
第１の本発明に係るディスプレイの駆動装置は、多数の画素がマトリクス状に配列され、画素の電荷状態に基づいて表示制御が行われる表示部を有し、供給される画像信号に応じた映像を少なくとも時間変調方式を用いて表示させるディスプレイの駆動装置において、１枚の画像の表示期間を１フィールドとしたとき、複数のサブフィールドを時間的に組み合わせて各１フィールドが構成されており、発光が生じるサブフィールドを発光サブフィールドと呼ぶときに、各１フィールド中のすべての発光サブフィールドが時間的に連続しており、発光において必要となる画素の電荷状態が画素のメモリ効果によって各１フィールド中のすべての前記発光サブフィールド間で維持されることを特徴とする。
また、第２の本発明に係るディスプレイの駆動方法は、多数の画素がマトリクス状に配列され、画素の電荷状態に基づいて表示制御が行われる表示部を有し、供給される画像信号に応じた映像を少なくとも時間変調方式を用いて表示させるディスプレイの駆動方法において、１枚の画像の表示期間を１フィールドとしたとき、複数のサブフィールドを時間的に組み合わせて各１フィールドが構成されており、発光が生じるサブフィールドを発光サブフィールドと呼ぶときに、各１フィールド中のすべての発光サブフィールドが時間的に連続しており、発光において必要となる画素の電荷状態が画素のメモリ効果によって各１フィールド中のすべての前記発光サブフィールド間で維持されることを特徴とする。
【手続補正３】
【補正対象書類名】明細書
【補正対象項目名】００１０
【補正方法】変更
【補正の内容】
【００１０】
これにより、消費電力を有効に低減させることができ、高輝度化を達成させることができる。また、サブフィールド駆動による階調制御において、消費電力を有効に低減させることができ、高輝度化を達成させることができる。
【手続補正４】
【補正対象書類名】明細書
【補正対象項目名】００１１
【補正方法】変更
【補正の内容】
【００１１】
この場合、１フィールドを複数のサブフィールドに分けて、各サブフィールド毎に強制リセットする駆動方式（プラズマディスプレイ等で採用）と比べ、消費電力を有効に低減させることができる。しかも、輝度の向上も実現させることが可能となる。
【手続補正５】
【補正対象書類名】明細書
【補正対象項目名】００１２
【補正方法】変更
【補正の内容】
【００１２】
そして、第１及び第２の本発明において、直前の発光サブフィールドに引き続いて後続のサブフィールドをも発光サブフィールドとする制御パルスが、当該後続のサブフィールドにおける当該画素の選択期間にのみ与えられ、当該後続のサブフィールドにおける当該画素の非選択期間においては、前記メモリ効果によって前記電荷状態が維持されるようにしてもよい。
【手続補正６】
【補正対象書類名】明細書
【補正対象項目名】００１３
【補正方法】変更
【補正の内容】
【００１３】
また、第３の本発明に係るディスプレイの駆動装置は、多数の画素がマトリクス状に配列された表示部を有し、供給される画像信号に応じた映像を表示させるディスプレイの駆動装置において、少なくとも１行単位に画素を選択する第1の駆動回路と、選択行に対してＯＮ信号とＯＦＦ信号からなる表示用情報を出力する第２の駆動回路と、第１及び第２の駆動回路を制御する信号制御回路とを具備し、記信号制御回路は、少なくとも時間変調方式で階調制御すべく、１枚の画像の表示期間を１フィールドとしたとき、該１フィールド内に、選択された画素の階調レベルに応じて、その発光開始タイミングを決定することを特徴とする。
これにより、消費電力を有効に低減させることができ、高輝度化を達成させることができる。また、サブフィールド駆動による階調制御において、消費電力を有効に低減させることができ、高輝度化を達成させることができる。
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】削除
【補正の内容】
【手続補正２４】
【補正対象書類名】明細書
【補正対象項目名】００３１
【補正方法】削除
【補正の内容】
【手続補正２５】
【補正対象書類名】明細書
【補正対象項目名】００３２
【補正方法】削除
【補正の内容】
【手続補正２６】
【補正対象書類名】明細書
【補正対象項目名】００３３
【補正方法】削除
【補正の内容】
【手続補正２７】
【補正対象書類名】明細書
【補正対象項目名】００３４
【補正方法】削除
【補正の内容】
【手続補正２８】
【補正対象書類名】明細書
【補正対象項目名】００３５
【補正方法】削除
【補正の内容】
【手続補正２９】
【補正対象書類名】明細書
【補正対象項目名】００３６
【補正方法】削除
【補正の内容】
【手続補正３０】
【補正対象書類名】明細書
【補正対象項目名】００３７
【補正方法】削除
【補正の内容】
【手続補正３１】
【補正対象書類名】明細書
【補正対象項目名】００３８
【補正方法】削除
【補正の内容】
【手続補正３２】
【補正対象書類名】明細書
【補正対象項目名】００３９
【補正方法】削除
【補正の内容】
【手続補正３３】
【補正対象書類名】明細書
【補正対象項目名】００４０
【補正方法】削除
【補正の内容】
【手続補正３４】
【補正対象書類名】明細書
【補正対象項目名】００４１
【補正方法】削除
【補正の内容】
【手続補正３５】
【補正対象書類名】明細書
【補正対象項目名】００４２
【補正方法】削除
【補正の内容】
【手続補正３６】
【補正対象書類名】明細書
【補正対象項目名】００４３
【補正方法】削除
【補正の内容】
【手続補正３７】
【補正対象書類名】明細書
【補正対象項目名】００４４
【補正方法】削除
【補正の内容】
【手続補正３８】
【補正対象書類名】明細書
【補正対象項目名】００４５
【補正方法】削除
【補正の内容】
【手続補正３９】
【補正対象書類名】明細書
【補正対象項目名】００４６
【補正方法】削除
【補正の内容】
【手続補正４０】
【補正対象書類名】明細書
【補正対象項目名】００４７
【補正方法】削除
【補正の内容】
【手続補正４１】
【補正対象書類名】明細書
【補正対象項目名】００４８
【補正方法】削除
【補正の内容】
【手続補正４２】
【補正対象書類名】明細書
【補正対象項目名】００４９
【補正方法】削除
【補正の内容】
【手続補正４３】
【補正対象書類名】明細書
【補正対象項目名】００５０
【補正方法】削除
【補正の内容】
【手続補正４４】
【補正対象書類名】明細書
【補正対象項目名】００５１
【補正方法】削除
【補正の内容】
【手続補正４５】
【補正対象書類名】明細書
【補正対象項目名】００５２
【補正方法】削除
【補正の内容】
【手続補正４６】
【補正対象書類名】明細書
【補正対象項目名】００５３
【補正方法】削除
【補正の内容】
【手続補正４７】
【補正対象書類名】明細書
【補正対象項目名】００５４
【補正方法】削除
【補正の内容】
【手続補正４８】
【補正対象書類名】明細書
【補正対象項目名】００５５
【補正方法】削除
【補正の内容】
【手続補正４９】
【補正対象書類名】明細書
【補正対象項目名】００５６
【補正方法】削除
【補正の内容】
【手続補正５０】
【補正対象書類名】明細書
【補正対象項目名】００５７
【補正方法】削除
【補正の内容】
【手続補正５１】
【補正対象書類名】明細書
【補正対象項目名】００５８
【補正方法】削除
【補正の内容】
【手続補正５２】
【補正対象書類名】明細書
【補正対象項目名】００５９
【補正方法】削除
【補正の内容】
【手続補正５３】
【補正対象書類名】明細書
【補正対象項目名】００６０
【補正方法】削除
【補正の内容】
【手続補正５４】
【補正対象書類名】明細書
【補正対象項目名】００６１
【補正方法】削除
【補正の内容】
【手続補正５５】
【補正対象書類名】明細書
【補正対象項目名】００６２
【補正方法】削除
【補正の内容】
【手続補正５６】
【補正対象書類名】明細書
【補正対象項目名】００６３
【補正方法】削除
【補正の内容】
【手続補正５７】
【補正対象書類名】明細書
【補正対象項目名】００６４
【補正方法】削除
【補正の内容】
【手続補正５８】
【補正対象書類名】明細書
【補正対象項目名】００６５
【補正方法】削除
【補正の内容】
【手続補正５９】
【補正対象書類名】明細書
【補正対象項目名】００６６
【補正方法】削除
【補正の内容】
【手続補正６０】
【補正対象書類名】明細書
【補正対象項目名】００６７
【補正方法】削除
【補正の内容】
【手続補正６１】
【補正対象書類名】明細書
【補正対象項目名】００６８
【補正方法】削除
【補正の内容】
【手続補正６２】
【補正対象書類名】明細書
【補正対象項目名】００６９
【補正方法】削除
【補正の内容】
【手続補正６３】
【補正対象書類名】明細書
【補正対象項目名】００７０
【補正方法】削除
【補正の内容】
【手続補正６４】
【補正対象書類名】明細書
【補正対象項目名】００７１
【補正方法】削除
【補正の内容】
【手続補正６５】
【補正対象書類名】明細書
【補正対象項目名】００７２
【補正方法】削除
【補正の内容】
【手続補正６６】
【補正対象書類名】明細書
【補正対象項目名】００７３
【補正方法】削除
【補正の内容】
【手続補正６７】
【補正対象書類名】明細書
【補正対象項目名】００７４
【補正方法】削除
【補正の内容】